(57)【要約】  販売促進用アセンブリは、盗難防止機能を有する。密封消費者製品パッケージは、密封消費者製品パッケージ内に延在する少なくとも１つの開口部を有する面を有する。消費者製品は、密封消費者製品パッケージの内側に位置付けられる。ロック部は、センサと、密封消費者製品パッケージの外側に位置付けられる本体とを有する。ロック部は、密封消費者製品パッケージの開口部内に延在し、かつ消費者製品に固定される、少なくとも１つのロッキングアームを有する。
2019509771.tif 000002
【特許請求の範囲】
【請求項１】
盗難防止機能（１０）を有する販売促進用アセンブリを提供する方法であって、
センサ（２０）を有するロック部（１４）を提供する工程であって、前記ロック部は、本体（１８）と、少なくとも１つのロッキングアーム（２６、２８）とを有する、工程と、
前記少なくとも１つのロッキングアームを、消費者製品（３２）を含有する密封消費者パッケージ（１２）の対応する開口部（２２、２４）を通して挿入する工程と、
前記ロッキングアームを前記消費者製品に固定する工程と、
を含む、方法。
【請求項２】
前記固定する工程は、密封消費者パッケージ（１２）の外側から、前記ロッキングアーム（２６、２８）を前記消費者製品（３２）に一時的に固定することを含む、請求項１に記載の方法。
【請求項３】
消費者製品を含有する密封消費者パッケージ（１２）に対する支払いを受領した後に、前記ロッキングアーム（２６、３８）を前記消費者製品（３２）から取り外す工程を更に含む、請求項１又は２に記載の方法。
【請求項４】
警報システム（５）を提供する工程を更に含む、請求項１〜３のいずれか一項に記載の方法。
【請求項５】
前記警報システム（５）を前記センサ（２０）と関連付ける工程を更に含む、請求項４に記載の方法。
【請求項６】
前記ロック部（１４）を前記消費者製品（３２）から取り外す工程と、第２の消費者製品（３２）上で前記ロック部を再使用する工程と、を更に含む、請求項１〜５のいずれか一項に記載の方法。
【請求項７】
盗難防止機能（１０）を有する販売促進用アセンブリであって、
密封消費者製品パッケージ（１２）であって、前記密封消費者製品パッケージ内に延在する少なくとも１つの開口部（２２、２４）を有する面（１６）を有する、密封消費者製品パッケージ（１２）と、
前記パッケージの内側に位置付けられる消費者製品（３２）と、
センサ（２０）を有するロック部（１４）であって、前記ロック部は、前記密封消費者製品パッケージの外側に位置付けられる本体（１８）と、前記密封消費者製品パッケージの前記開口部内に延在し、かつ前記消費者製品に固定される、少なくとも１つのロッキングアーム（２６、２８）とを有する、ロック部（１４）と、
を備える、盗難防止機能（１０）を有する販売促進用アセンブリ。
【請求項８】
前記面（１６）は、２つの離間した開口部（２２、２４）を備える、請求項７に記載の盗難防止機能（１０）を有する販売促進用アセンブリ。
【請求項９】
前記ロック部（１４）は、一対のロッキングアーム（２６、２８）を備え、該ロッキングアーム（２６、２８）は、対応する一対の開口部（２２、２４）の中に延在し、かつ前記消費者製品（３２）に固定される、請求項８に記載の盗難防止機能を有する販売促進用アセンブリ。
【請求項１０】
前記消費者製品（３２）は、前記ロッキングアーム（２６、２８）に係合するアンダーカット部を備える保持表面（４６）を有する、請求項７〜９のいずれか一項に記載の盗難防止機能（１０）を有する販売促進用アセンブリ。
【請求項１１】
前記消費者製品（３２）は、複数のかみそりカートリッジ（３４ａ、３４ｂ、３４ｃ、及び３４ｄ）を備える、請求項１０に記載の盗難防止機能（１０）を有する販売促進用アセンブリ。
【請求項１２】
前記本体（１８）は、前記面（１６）にわたって広がる、請求項９に記載の盗難防止機能（１０）を有する販売促進用アセンブリ。
【請求項１３】
前記面（１６）は、前記消費者製品（３２）の一対の係合表面（４４、４６）と概ね整合される一対の離間した開口部（２２、２４）を有する、請求項１２に記載の消費者製品。
【請求項１４】
前記一対の係合表面（４４、４６）は、互いに概ね平行である、請求項１３に記載の消費者製品。
【請求項１５】
前記ロック部（１４）は、一対のロッキングアーム（２６、２８）を備え、該ロッキングアーム（２６、２８）は、対応する前記一対の開口部（２２、２４）の中に延在し、かつ前記係合表面（４４、４６）に固定される、請求項１４に記載の消費者製品。
【発明の詳細な説明】
【技術分野】
【０００１】
本発明は、消費者製品用のディスプレイパッケージ、より具体的には、盗難防止機能を有する消費者製品パッケージに関する。
【背景技術】
【０００２】
消費者製品には、消費者に改善されたユーザ経験を提供するために、より革新的な技術が組み込まれている。しかしながら、革新的な消費者製品は、より高価であり、ひいては、万引き犯によって小売棚で盗難される可能性が高い。万引き犯は、一般的に、コンパクトかつ比較的高価で、小売価格に近い価格で販売することができる、製品を探している。例えば、かみそり及びかみそり刃カートリッジは、一般的に高価であり、サイズが小さく、特に、より高級ブランドに関しては、再販価値が高く、高需要である。かみそり及びかみそり刃と同様に、電気歯ブラシ及びそれに対応する交換用ヘッドもまた、一般に、万引きされるアイテムとなっている。歯のホワイトニングストリップは、小売店で盗難率が高い別の歯科衛生製品である。更には、電子商取引の進展によって、インターネントを通じて盗品を販売することがより容易になったため、万引き業界は成長している。
【発明の概要】
【発明が解決しようとする課題】
【０００３】
消費財企業及び小売業者は、引き裂くこと又は切り開くことがより難しいパッケージで、ある程度成功を収めている。しかしながら、これは、万引きを防止しない。これらのパッケージはまた、鋭利なツールの補助なしにパッケージを開封することが難しいため、正規消費者を不満にさせている。更には、万引き犯は、パッケージを切り開き、製品を取り出して、更には、インターネット上で包装なしの製品を販売し得る。例えば、かみそりカートリッジは、一般的に、４つのカートリッジがプラスチック性ディスペンサー内部に収容され、次いでそれが包装されて販売されている。万引き犯は、パッケージを切り開き、単に、ディスペンサー内部のカートリッジをインターネット上で販売し得る。また、消費財企業は、店を出るときに警報が作動する盗難防止タグをパッケージ内部に密封することで、ある程度の成功しか収めていない。その盗難防止タグは、必ずしも精算時に適切に作動解除されない場合がある。また、この技術は、万引き犯が、店内でパッケージを切り開いて製品を取り出すことを防止しない。加えて、消費者パッケージ内に密封される盗難防止タグにより、一般的に消費者に転嫁される製品のコストを増大させる。既知の包装技術の使用にかかわらず、製品の盗難を阻止するために消費者製品パッケージを更に修正する必要が残っている。
【課題を解決するための手段】
【０００４】
一態様では、本発明は、概して、盗難防止機能を有する販売促進用アセンブリを提供する方法を特徴とする。センサ、本体、及び少なくとも１つのロッキングアームを有するロック部が提供される。少なくとも１つのロッキングアームは、消費者製品を含有する密封消費者パッケージの対応する開口部を通して挿入される。ロッキングアームは、消費者製品に固定される。
【０００５】
別の態様では、本発明は、概して、密封消費者製品パッケージ内に延在する少なくとも１つの開口部を有する面を有する、密封消費者製品パッケージを有する盗難防止機能を有する、販売促進用アセンブリを特徴とする。消費者製品は、密封消費者製品パッケージの内側に位置付けられる。ロック部は、センサと、密封消費者製品パッケージの外側に位置付けられる本体とを有する。ロック部は、密封消費者製品パッケージの開口部内に延在し、かつ消費者製品に固定される、少なくとも１つのロッキングアームを有する。
【０００６】
更に別の態様では、本発明は、概して、キャビティを画定する密封消費者製品パッケージを有する消費者製品を特徴とする。密封消費者製品パッケージは、ロッキングアームを受容するように寸法決定された少なくとも１つの開口部を有する面を有する。オーガナイザーは、キャビティ内部に位置付けられる。オーガナイザーは、少なくとも１つの開口部と整合される少なくとも１つの係合表面を有する。
【図面の簡単な説明】
【０００７】
【図１】警報システムを有する盗難防止機能を有する販売促進用アセンブリの後面斜視図である。
【図２】図１の盗難防止機能を有する販売促進用アセンブリに組み込まれ得る密封消費者製品パッケージの１つの可能な実施形態の組立図である。
【図３】図１の盗難防止機能を有する販売促進用アセンブリの組立図である。
【図４Ａ】固定解除位置にある消費者製品及びロック部の１つの可能な実施形態の側面図である。
【図４Ｂ】固定位置にある、図４Ａの消費者製品及びロック部の側面図である。
【図５】図４Ｂの消費者製品及びロック部の斜視図である。
【図６】盗難防止機能を有する販売促進用アセンブリを提供するための方法の概略図である。
【発明を実施するための形態】
【０００８】
図１を参照すると、本発明の１つの可能な実施形態が示され、これは、盗難防止機能１０を有する販売促進用アセンブリと関連付けられる警報システム５を例示する。盗難防止機能１０を有する販売促進用アセンブリは、吊り式ディスプレイ（例えば、ペグボード）に搭載すること及び／又は店の棚に陳列することができる。盗難防止機能１０を有する販売促進用アセンブリは、密封消費者製品パッケージ１２と、ロック部１４とを含んでもよい。密封消費者製品パッケージ１２は、消費者製品への損傷又はアクセスを防止するように密封されてよい。密封消費者製品パッケージ１２は、面１６を有してよい。面１６は、消費者側面、又は密封消費者製品パッケージ１２の任意の他の外部表面であってよい。密封消費者製品パッケージ１２は、ロック部１４に固定される１つ以上の消費者製品（図示しない）を含有してよい。消費者製品パッケージ１２は、限定ではないが、カードブリスター及びクラムシェルを含む、任意の種類のカードボードパック又はブリスターパックを含み得ることを理解されたい。ある実施形態では、密封消費者製品パッケージ１２は、プラスチック製の板紙及び／又は再生可能原料（例えば、パピルス、小麦茎、もみ殻、竹、及びそれらの組み合わせ）から形成されてよい。
【０００９】
ロック部１４は、密封消費者製品パッケージ１２の外部に本体１８及びセンサ２０を有してよい。ある実施形態では、ロック部１４及び／又はセンサ２０は、密封消費者パッケージ１２を越えて延在してもよく、そのため、消費者又は潜在的万引き犯に明確に視認可能であるようになる。消費者製品パッケージ１２の外部にあり、かつ明確に視認可能であるロック部本体１８及び／又はセンサ２０の位置付けは、万引き犯が、盗難防止機能１０を有する販売促進用アセンブリを盗むことを更に防止し得る。例えば、潜在的万引き犯が、製品に盗難防止デバイスがあることを認知している場合、それを盗もうとする可能性が低い。センサ２０は、店の警報システム５と通信することができる。したがって、ロック部１４が、店を出る前に、密封消費者製品パッケージ１２から取り外されない場合、センサ２０は、警報システム５を動作させ、店の警備員に通知し得る。以下により詳細に説明されるように、ロック部１４は、精算時に店員によって取り外され、他の密封消費者製品パッケージ１２に再使用されてよい。
【００１０】
密封消費者製品パッケージ１２は、ロック部１４の少なくとも一部を受容するように寸法決定された少なくとも１つの開口部２２及び２４を有してよい。例えば、ロック部１４は、消費者製品パッケージ１２の開口部２２及び２４のそれぞれの内部に位置付けられた少なくとも１つのロッキングアーム２６及び２８を有し得る。ある実施形態では、開口部２２及び２４は、離間したスロットであってよい。したがって、ロック部本体１８は、密封消費者製品パッケージ１２の面１６にわたって（例えば、開口部２６と開口部２８との間に）広がり得る。ロック部１４は、消費者製品パッケージ１２に直接固定されない場合がある。しかしながら、面１６が切り開かれ、ロック部１４が消費者製品（図示せず）と共に取り外されるか又はロック部が消費者製品から固定解除される場合を除いて、ロック部１４は、密封消費者製品パッケージ１２から取り外されない場合がある。
【００１１】
図２を参照すると、密封消費者製品パッケージ１２の組立図が示されている。密封消費者製品パッケージ１２は、少なくとも１つの消費者製品３２を受容するように寸法決定されたキャビティ３０を画定してよい。例として、消費者製品３２は、１つ以上のかみそりカートリッジ３４ａ、３４ｂ、３４ｃ、及び３４ｄであり得る。消費者製品３２はまた、かみそりカートリッジ３４ａ、３４ｂ、３４ｃ、及び３４ｄを格納するオーガナイザー３６を含んでもよい。消費者製品３２は、歯ブラシ又は歯のホワイトニングストリップ等の、他の消費者アイテムを保持するディスペンサーを備え得ることを理解されたい。代替的に、消費者製品は、アイテム本体（例えば、オーガナイザー３６がない、かみそりカートリッジ３４ａ、３４ｂ、３４ｃ、及び３４ｄ）だけを備えてよい。開口部２２及び２４のうちの少なくとも一方は、キャビティ３０と連通し、かつロッキングアーム２６及び２８を受容するように寸法決定され、消費者製品３２への図１のロック部１４の取り付けを可能にし得る。キャビティ３０は、消費者製品３２を保護する蓋３８で密封されてよい。ある実施形態では、開口部２２及び２４の１つ以上は、蓋３８内に延在し得る。しかしながら、開口部２２及び２４はまた、代替的に、密封消費者製品パッケージ１２の任意の他の部分（例えば、蓋３８の反対面）の内部に延在し得ることを理解されたい。開口部２２及び２４は、密封消費者製品パッケージ１２内に打ち抜かれるか（例えば、蓋３８は、開口部２２及び２４が容易に打ち抜かれることを可能にする穿孔を有し得る）、又は事前に形成されてよい。
【００１２】
図３を参照すると、図１の盗難防止機能１０を有する販売促進用アセンブリの組立図が示される。密封消費者製品パッケージ１２は、（示されるように）密封構成で小売業者に提供されてよい。小売業者は、別々に、ロック部１４を購入するか、又は、それが提供されてよい。代替的に、密封消費者製品パッケージ１２に事前に搭載されるロック部１４が提供されてよい。ロック部１４は、密封消費者製品パッケージ１２内へのロック部１４の一部の挿入を可能にするように、開放位置又はロック解除位置に配置されてよい。例えば、ロッキングアーム２６及び２８のうちの少なくとも一方は、開口部２２及び２４のそれぞれのうちの１つの内部に位置付けられてよい。ロッキングアーム２６及び２８は、消費者製品パッケージ１２内部にロック部１４を固定することを容易にするように、それぞれの留め具４０及び４２を有する端部を有してよい。留め具４０及び４２は、互いに向かって延在してよい。ある実施形態では、ロッキングアーム２６及び２８は、消費者製品３２（図示せず）への固定を容易にするために異なる長さを有してよい。ロック部１４は、万引き犯が取り外すこと又は破壊することを困難にする金属材料又は頑丈な樹脂材料等の剛体材料を備えてよい。例えば、ナイフ又はハサミは、ロック部１４を切る及び／若しくは壊す、並びに／又はセンサ２０を取り外すことができない場合がある。
【００１３】
図４Ａを参照すると、消費者製品３２及びロック部１４の組立図は、分かりやくするために、消費者製品パッケージ１２が取り外された固定解除位置で示される。消費者製品３２は、対応する留め具４０及び４２に係合する少なくとも１つの保持表面４４及び４６を有してよい。保持表面４４及び４６は、互いに概ね平行であってよい。ある実施形態では、１つの保持表面４６は、アンダーカット部（例えば、切り欠き）を有してよく、かつ／又は、１つの保持表面４４は、消費者製品３２（例えば、オーガナイザー３６）の底表面４８の一部であってよい。開放位置又は固定解除位置では、ロック部１４は、ロッキングアーム４０とロッキングアーム４２との間で測定されるように、第１の距離「ｄ１」を有してよい。ロッキングアーム２６及び２８は、それぞれの開口部２２及び２４の内部に位置付けられてよい（図３）。ロッキングアーム２６及び２８は、互いに向かって摺動し、閉鎖位置又は固定位置にロックされてよい。
【００１４】
図１及び図４Ｂは、閉鎖位置にあるロック部１４を例示する。開口部２２及び２４は、係合表面４４及び４６と整合され（例えば、重ねられ）、店員によるロッキングアーム２６及び２８の取り付け及び取り外しを可能にし得る。閉鎖位置では、留め具４０及び４２は、図４Ｂに示されるように、消費者製品３２の対応する保持表面４４及び４６に係合し、ロック部１４を消費者製品３２に固定してよい。したがって、ロック部１４は、図１に示されるように、密封消費者パッケージ３２に間接的に固定される。閉鎖位置では、ロック部１４は、ロッキングアーム２６とロッキングアーム２８との間に、ｄ１よりも小さい第２の距離「ｄ２」を有し、ロック部１４が消費者製品３２及び／又は密封消費者パッケージ３２から取り外されることを防止し得る。ロッキングアーム２６及び２８、より具体的には、留め具４０及び４２は、店員によって、密封消費者製品パッケージ１２を供給しながら、密封消費者製品パッケージ１２の外側から、消費者製品３２に一時的に固定されてよい。ロック部１４は、いったん支払いが受領されると、精算時に店員によって後に取り外されてよい。店員は、ロック部１４を消費者製品３２から係脱するために特別に設計されたツールを使用してよい。
【００１５】
図５は、図１に示されるように、固定位置にある消費者製品３２及びロック部１４の斜視図であるが、分かりやくするために、密封消費者製品パッケージ１２が取り外されたものである。消費者製品３２は、１つ以上のアイテム（例えば、かみそりカートリッジ３４ａ、３４ｂ、３４ｃ、及び３４ｄ）を受容するように寸法決定された、複数の離間した開口部５０ａ、５０ｂ、５０ｃ、及び５０ｄを有してよい。ロック部１４の本体１８は、開口部５０ａ、５０ｂ、５０ｃ、及び５０ｄにわたって位置付けられ、かみそりカートリッジ３４ａ、３４ｂ、３４ｃ、及び３４ｄのうちの１つ以上が、オーガナイザー３６から取り外されることを防止し得る。したがって、ロック部１４は、消費者製品３２に強固に固定され、オーガナイザー３６の中身へのアクセス及び／又はその取り外しを防止する。万引き犯は、ロック部１４を取り出すために、消費者製品３２を損傷させる必要があり、したがって、損傷された消費者製品３２の販売の価値が下がるであろう。また、消費者製品３２の損傷により、潜在的購入者に、消費者製品の性質又は起源を示唆し得る（すなわち、盗まれたことを示唆する）。
【００１６】
図６を参照すると、盗難防止機能を有する販売促進用アセンブリを提供する方法の概略図が示される。様々な工程が改変されてもよく、一部の工程は選択式であることを理解されたい。工程１００、１０２、及び１０４の第１のセットでは、警報システム５、センサ２０を有するロック部１４、及び消費者製品３２を含有する密封消費者製品パッケージ１２が提供されてよい。センサ２０を伴うロック部１４は、工程１０６で消費者製品３２に一時的に固定されてよい。センサ２０は、消費者製品パッケージ３２にロック部１４を固定する前又は後のいずれかに、ロック部１４に取り付けられ得ることを理解されたい。前述のように、ロック部１４は、密封消費者製品パッケージ１２を通るように、消費者製品３２に一時的に固定されてよい。センサ２０は、ロック部１４が消費者製品パッケージ３２に固定される前又は後のいずれかに、工程１０８で、警報システム５と関連付けられてよい。工程１１０では、密封消費者製品パッケージ１２に関する支払いが受領され、その後、工程１１２で、ロック部１４は、消費者製品３２から固定解除されかつ取り外される。ロック部１４は、工程１１４で再使用されてよい（例えば、同様の方式で、別の消費者製品３２に固定される）。ある実施形態では、いったんセンサ２０が警報システム５と関連付けられると、センサ２０は、全く作動停止しない場合がある。したがって、警報システムを作動させないために、センサ２０を有するロック部１４を取り外す必要がある。センサ２０を作動停止する必要がなければ、処理を簡略化し、警報システム５の誤トリガを減らし得る。センサ２０を有するロック部１４が取り外されなかった場合、例えば、支払いが全く受領されないため、工程１１６で、センサ２０は警報を作動させる。
【００１７】
本明細書に開示した寸法及び値は、記載された正確な数値に厳密に限定されるものと理解されるべきではない。むしろ、特に断らない限り、そのような各寸法は、記載された値とその値の周辺の機能的に同等の範囲の両方を意味するものとする。例えば「４０ｍｍ」として開示される寸法は、「約４０ｍｍ」を意味するものとする。
【００１８】
あらゆる相互参照又は関連特許若しくは関連出願を含む、本明細書に引用される全ての文献は、明確に除外ないしは別の方法で限定されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００１９】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019509771.tif 000003
【図２】
2019509771.tif 000004
【図３】
2019509771.tif 000005
【図４Ａ】
2019509771.tif 000006
【図４Ｂ】
2019509771.tif 000007
【図５】
2019509771.tif 000008
【図６】
2019509771.tif 000009
【国際調査報告】
2019509771.tif 000010
2019509771.tif 000011